(57)【要約】  移動通信端末機を用いるディジタル放送受信システム及び方法であって、有線／無線通信網を用いてコンテンツ提供部から提供されるディジタル放送のためのディジタルデータを受信して出力するシステムであって、有線／無線通信網を用いてコンテンツ提供部からディジタルデータを受信して伝達するディジタル放送受信装置、及びディジタル放送受信装置からディジタルデータを受信すれば、復号化して画像信号及びオーディオ信号を生成し出力する移動通信端末機を含む。
2010527177.tif 000002
【特許請求の範囲】
【請求項１】
有線／無線通信網を用いてコンテンツ提供部から提供されるディジタル放送のためのディジタルデータを受信して出力するシステムであって、
前記有線／無線通信網を用いて前記コンテンツ提供部から前記ディジタルデータを受信して伝達するディジタル放送受信装置と、
前記ディジタル放送受信装置から前記ディジタルデータを受信すれば、復号化して画像信号及びオーディオ信号を生成し出力する移動通信端末機と、
を含むことを特徴とする移動通信端末機を用いるディジタル放送受信システム。
【請求項２】
有線／無線通信網を用いてコンテンツ提供部から提供されるディジタル放送のためのディジタルデータを受信して再生するシステムであって、
前記有線／無線通信網を用いて前記コンテンツ提供部から前記ディジタルデータを受信する有線／無線通信部、ディジタル放送受信装置のデータ及び信号を制御する受信機制御部、及び前記ディジタルデータを伝達する受信機近距離通信部を含む前記ディジタル放送受信装置と、
前記受信機近距離通信部から前記ディジタルデータを受信する端末機近距離通信部、移動通信端末機を制御するための命令語またはデータの入力を受ける端末機入力部、前記ディジタルデータを格納する端末機格納部、前記移動通信端末機のデータ及び信号を制御する端末機制御部、前記ディジタルデータを復号化して画像信号及びオーディオ信号を生成し伝達する端末機復号部、及び前記画像信号及び前記オーディオ信号を受信して画像及びオーディオを出力する端末機出力部を含む前記移動通信端末機と、
を含むことを特徴とする移動通信端末機を用いるディジタル放送受信システム。
【請求項３】
前記ディジタル放送受信システムは、
画像及びオーディオを出力する画像／オーディオ出力装置を更に含み、かつ、端末機出力部は前記画像信号及び前記オーディオ信号を前記画像／オーディオ出力装置に送信して、前記画像及び前記オーディオを出力するように制御することを特徴とする請求項２に記載の移動通信端末機を用いるディジタル放送受信システム。
【請求項４】
前記ディジタル放送受信装置は、
前記ディジタルデータを格納する受信機格納部を更に含むことを特徴とする請求項２に記載の移動通信端末機を用いるディジタル放送受信システム。
【請求項５】
前記ディジタル放送受信装置は、
前記ディジタル放送受信装置を制御するための命令語またはデータの入力を受ける受信機入力部を更に含むことを特徴とする請求項２に記載の移動通信端末機を用いるディジタル放送受信システム。
【請求項６】
前記ディジタル放送受信装置及び前記移動通信端末機は、相互間に接続するか否かを確認して、接続された場合、待機モードに進入して相互間に通信を遂行することを特徴とする請求項２に記載の移動通信端末機を用いるディジタル放送受信システム。
【請求項７】
ディジタル放送受信装置及び移動通信端末機を含み、有線／無線通信網を用いてコンテンツ提供部から提供されるディジタル放送のためのディジタルデータを受信して再生する方法であって、
（ａ）前記ディジタル放送受信装置と前記移動通信端末機とが連結されて、前記ディジタル放送受信装置及び前記移動通信端末機が待機モードに入るステップと、
（ｂ）前記ディジタル放送受信装置が前記有線／無線通信網を用いて前記コンテンツ提供部から前記ディジタルデータを受信するステップと、
（ｃ）前記移動通信端末機が前記ディジタルデータを前記ディジタル放送受信装置から受信するステップと、
（ｄ）前記移動通信端末機が前記ディジタルデータを復号化して画像信号及びオーディオ信号を生成するステップと、
（ｅ）前記移動通信端末機が前記画像信号及び前記オーディオ信号を用いて画像及びオーディオを出力するステップと、
を含むことを特徴とする移動通信端末機を用いるディジタル放送受信方法。
【請求項８】
前記ディジタル放送受信方法は、
前記ステップ（ａ）の以後に、
（ａ１）前記ディジタル放送受信装置がリアルタイム放送視聴またはビデオ・オン・デマンド視聴の入力を受けるステップを更に含むことを特徴とする請求項７に記載の移動通信端末機を用いるディジタル放送受信方法。
【請求項９】
前記ステップ（ａ１）で、
前記ディジタル放送受信装置が前記ビデオ・オン・デマンド視聴の入力を受けた場合、
前記ディジタル放送受信方法は、前記ステップ（ｂ）の以後に、
（ｂ１）前記ディジタル放送受信装置が前記ディジタルデータを格納するステップを更に含むことを特徴とする請求項８に記載の移動通信端末機を用いるディジタル放送受信方法。
【請求項１０】
前記ディジタル放送受信方法は、
前記ステップ（ａ）の以後に、
（ａ２）前記移動通信端末機がリアルタイム放送視聴またはビデオ・オン・デマンド視聴の入力を受けるステップと、
（ａ３）前記移動通信端末機が前記ディジタル放送受信装置に前記リアルタイム放送視聴または前記ビデオ・オン・デマンド視聴を要請するステップを更に含むことを特徴とする請求項７に記載の移動通信端末機を用いるディジタル放送受信方法。
【請求項１１】
前記ステップ（ａ２）で、
前記移動通信端末機が前記ビデオ・オン・デマンド視聴の入力を受けた場合、
前記ディジタル放送受信方法は、前記ステップ（ｃ）の以後に、
（ｃ１）前記移動通信端末機が前記ディジタルデータを格納するステップを更に含むことを特徴とする請求項１０に記載の移動通信端末機を用いるディジタル放送受信方法。
【発明の詳細な説明】
【技術分野】
【０００１】
本発明は、移動通信端末機を用いるディジタル放送受信システム及び方法に関し、より詳しくは、ディジタル放送受信装置と移動通信端末機とを連結してディジタル放送受信装置の所定の機能を担う回路を移動通信端末機で置換えるようにし、ディジタル放送受信装置で一部の機能を担当する回路を除去することで、低廉なディジタル放送受信装置を開発できるようにするためのディジタル放送受信システム及び方法に関する。
【背景技術】
【０００２】
最近、電子通信技術が発展するにつれて、インターネット、衛星などからディジタル放送を受信してＴＶなどの画像及びオーディオ出力媒体を通じて放送番組を出力するセットトップボックス（Set Top Box）などのディジタル放送受信装置が開発されて普及されている。
【０００３】
ディジタル放送受信装置は、通常的に一般ＴＶなどに一体型で開発されて普及されるか、単独の受信機として購入されてＴＶなどに連結されて使われ、家庭で便利にビデオ・オン・デマンド（ＶＯＤ：Video on Demand）やリアルタイムディジタル放送を視聴できるようにしてくれる便利な装置である。
【０００４】
図１は、通常的なディジタル放送受信システムを簡略に示すブロック構成図である。
【０００５】
通常的なディジタル放送受信システムは、コンテンツ提供部１１０、有線／無線通信網１２０、及びディジタル放送受信装置１３０を含んで構成される。
【０００６】
コンテンツ提供部１１０は、放送番組をディジタルデータとして生成して有線／無線通信網１２０を用いて伝播する放送番組提供者のサーバなどであって、インターネット放送、ディジタルマルチメディア放送（ＤＭＢ：Digital Multimedia Broadcasting）、ＩＰＴＶ（Internet Protocol TV）放送などを提供する放送事業者のサーバまたは衛星などをいう。
【０００７】
有線／無線通信網１２０は、インターネット網、イントラネット網、移動通信網、衛星通信網など、多様な有線／無線通信技術を用いてインターネットプロトコルでデータを送受信できるネットワークをいう。
【０００８】
ディジタル放送受信装置１３０は、独立的に製作されてＴＶと連結されることで、ディジタル放送を受信するセットトップボックス（Set top Box）、またはＴＶと一体型で製作されてディジタル放送を受信するディジタル放送受信ＴＶなどをいう。図１では、ＴＶと一体型で製作されてディジタル放送を受信するディジタル放送受信ＴＶを例として図示した。
【０００９】
ディジタル放送受信装置１３０は、有線／無線通信部１４０、受信機制御部１５０、受信機入力部１６０、受信機格納部１７０、受信機復号部１８０、及び受信機出力部１９０を含んで構成される。
【００１０】
有線／無線通信部１４０は有線／無線通信網１２０を用いてコンテンツ提供部１１０からディジタルデータを受信するための通信手段であり、受信機制御部１５０はディジタル放送受信装置１３０の全般的な制御を遂行し、ディジタル放送受信装置１３０内のデータ及び信号を制御する制御手段である。
【００１１】
受信機入力部１６０は、キーボード、マウス、ジョイスティック、ゲームパッドなど、ディジタル放送受信装置１３０を制御するための命令語またはデータの入力を受けるための有線／無線入力手段であり、受信機格納部１７０は、フラッシュメモリ、ハードディスクＣＤ−ＲＯＭ、ＤＶＤなど、データを格納するデータ格納手段である。
【００１２】
受信機復号部１８０は、受信機制御部１５０が有線／無線通信部１４０を用いて受信したディジタルデータや受信機格納部１７０に格納されたディジタルデータを伝達すれば、復号化（Decoding）して画像信号及びオーディオ信号を生成する再生手段である。
【００１３】
受信機出力部１９０は、ディジタル放送受信装置１３０内に備えられた画面またはスピーカを通じて画像及びオーディオを出力するか、ディジタル放送受信装置１３０が外部の画像／オーディオ出力装置と連結された場合には、画像信号及びオーディオ信号を画像／オーディオ出力装置に送信して、画像／オーディオ出力装置をして画像及びオーディオを出力するように制御する出力手段である。
【００１４】
このようなディジタル放送受信装置１３０内での動作過程は、後述する通りである。受信機入力部１６０を通じてユーザがリアルタイムディジタル放送の受信の選択をすれば、有線／無線通信部１４０はコンテンツ提供部１１０からディジタルデータを受信して受信機制御部１５０に伝達し、受信機制御部１５０はディジタルデータを受信機復号部１８０に伝達し、受信機復号部１８０はディジタルデータを復号化して画像信号及びオーディオ信号を生成し、受信機出力部１９０を通じて画像及びオーディオを出力する。
【００１５】
また、受信機入力部１６０を通じてユーザからビデオ・オン・デマンドの視聴の選択を受けて、ユーザが視聴しようとするコンテンツの選択をすれば、有線／無線通信部１４０はコンテンツ提供部１１０からディジタルデータを受信して受信機制御部１５０に伝達し、受信機制御部１５０はディジタルデータを受信機格納部１７０に格納し、また受信機格納部１７０に格納されたディジタルデータを受信機復号部１８０に伝達し、受信機復号部１８０はディジタルデータを復号化して画像信号及びオーディオ信号を生成し、受信機出力部１９０を通じて画像及びオーディオを出力する。
【００１６】
このように、ディジタル放送受信装置は、前述した電子装置を具備しなければならないので価格が高いが、視聴者はこのようなディジタル放送受信装置を購入しなければディジタル放送を視聴できない。
【００１７】
一方、電子通信技術が発展するにつれて、移動通信技術が普遍化され、それによって、携帯電話などの移動通信端末機が広く普及されて、移動通信端末機は現代人の必需品として位置づけしており、殆どの人が所持している実状である。
【００１８】
また、移動通信端末機の進化によって、ディジタル放送を受信して再生したり、格納されたディジタルデータを再生できるようになった。
【００１９】
したがって、移動通信端末機を用いてディジタル放送受信装置の一部の機能を代替すれば、ディジタル放送受信装置内に一部の機能のための電子装置を必ず具備しなくてもよいし、それによって、ディジタル放送受信装置の具現費用を格段に低減することができる。
【００２０】
しかしながら、現在は前述したように、ディジタル放送受信装置１３０を用いてディジタル放送を視聴するだけであり、ディジタル放送受信装置１３０と移動通信端末機が各々製作されて別に使われているので、両装置間の連動を通じてディジタル放送受信装置の一部の機能を移動通信端末機で担当するようにすることで、ディジタル放送受信装置の価格競争力を高めることができる方案は開発されておらず、このための技術開発が要求される実状である。
【発明の概要】
【発明が解決しようとする課題】
【００２１】
前述した問題点を解決するために本発明は、ディジタル放送受信装置と移動通信端末機とを連結してディジタル放送受信装置の所定の機能を担う回路を移動通信端末機で置換えるようにし、低廉なディジタル放送受信装置を開発できるようにするためのディジタル放送受信システム及び方法を提供することをその主な目的とする。
【課題を解決するための手段】
【００２２】
このような目的を達成するために本発明は、 有線／無線通信網を用いてコンテンツ提供部から提供されるディジタル放送のためのディジタルデータを受信して出力するシステムであって、有線／無線通信網を用いてコンテンツ提供部からディジタルデータを受信して伝達するディジタル放送受信装置と、ディジタル放送受信装置からディジタルデータを受信すれば、復号化して画像信号及びオーディオ信号を生成し出力する移動通信端末機と、を含むことを特徴とする移動通信端末機を用いるディジタル放送受信システムを提供する。
【００２３】
また、本発明の他の目的によれば、有線／無線通信網を用いてコンテンツ提供部から提供されるディジタル放送のためのディジタルデータを受信して再生するシステムであって、上記有線／無線通信網を用いて上記コンテンツ提供部から上記ディジタルデータを受信する有線／無線通信部、ディジタル放送受信装置のデータ及び信号を制御する受信機制御部、及びディジタルデータを伝達する受信機近距離通信部を含むディジタル放送受信装置と、受信機近距離通信部からディジタルデータを受信する端末機近距離通信部、移動通信端末機を制御するための命令語またはデータの入力を受ける端末機入力部、ディジタルデータを格納する端末機格納部、移動通信端末機のデータ及び信号を制御する端末機制御部、ディジタルデータを復号化して画像信号及びオーディオ信号を生成し伝達する端末機復号部、及び画像信号及びオーディオ信号を受信して画像及びオーディオを出力する端末機出力部を含む上記移動通信端末機と、を含むことを特徴とする移動通信端末機を用いるディジタル放送受信システムを提供する。
【００２４】
また、本発明の更に他の目的によれば、ディジタル放送受信装置及び移動通信端末機を含み、有線／無線通信網を用いてコンテンツ提供部から提供されるディジタル放送のためのディジタルデータを受信して再生する方法であって、（ａ）ディジタル放送受信装置と移動通信端末機とが連結されてディジタル放送受信装置及び移動通信端末機が待機モードに進入するステップと、（ｂ）ディジタル放送受信装置が有線／無線通信網を用いてコンテンツ提供部からディジタルデータを受信するステップと、（ｃ）移動通信端末機がディジタルデータをディジタル放送受信装置から受信するステップと、（ｄ）移動通信端末機がディジタルデータを復号化して画像信号及びオーディオ信号を生成するステップと、（ｅ）移動通信端末機が画像信号及びオーディオ信号を用いて画像及びオーディオを出力するステップと、を含むことを特徴とする移動通信端末機を用いるディジタル放送受信方法を提供する。
【発明の効果】
【００２５】
以上の説明及びその他の本発明による目的、特徴及び利点については添付の図面を参照しての以下の詳細な説明の記載から明らかになるであろう。
【図面の簡単な説明】
【００２６】
【図１】従来のディジタル放送受信システムを簡略に示すブロック構成図である。
【図２】本発明の第１実施形態に従う移動通信端末機を用いるディジタル放送受信システムを簡略に示すブロック構成図である。
【図３】本発明の第２実施形態に従う移動通信端末機を用いるディジタル放送受信システムを簡略に示すブロック構成図である。
【図４】本発明の第３実施形態に従う移動通信端末機を用いるディジタル放送受信システムを簡略に示すブロック構成図である。
【図５】本発明の第４実施形態に従う移動通信端末機を用いるディジタル放送受信システムを簡略に示すブロック構成図である。
【図６】本発明の第４実施形態に従う移動通信端末機を用いるディジタル放送受信方法を説明するためのフローチャートである。
【発明を実施するための形態】
【００２７】
以下、本発明の好ましい実施形態を添付された図面を参照しつつ詳細に説明する。まず各図面の構成要素に参照符号を付加するに当たって、同一あるいは類似の構成要素に対しては同一な符号を付与するようにし同一あるいは類似の構成要素についての説明の繰返しは省略した。また、本発明を説明するに当たって、関連した公知構成または機能に対する具体的な説明は省略し、本発明の要旨が不明確にならないようにした。
【００２８】
図２は、本発明の第１実施形態に従う移動通信端末機を用いるディジタル放送受信システムを簡略に示すブロック構成図である。
【００２９】
本発明の第１実施形態に従う移動通信端末機を用いるディジタル放送受信システムは、コンテンツ提供部１１０、有線／無線通信網１２０、ディジタル放送受信装置１３０、及び移動通信端末機２００を含む。
【００３０】
ここで、コンテンツ提供部１１０及び有線／無線通信網１２０は、図１を通じて前述したので、それに対する詳細な説明は省略する。
【００３１】
本発明の第１実施形態に従うディジタル放送受信システムは、有線／無線通信部１４０、受信機制御部１５０、受信機入力部１６０、受信機格納部１７０、及び受信機近距離通信部１９２を含んで構成される。
【００３２】
ここで、有線／無線通信部１４０、受信機制御部１５０、受信機入力部１６０、及び受信機格納部１７０は、図１を通じて前述したことと同一または類似しているので、それに対する詳細な説明は省略する。
【００３３】
受信機近距離通信部１９２は、移動通信端末機２００の端末機近距離通信部２１０とデータ通信を遂行することによって、ディジタル放送受信装置１３０と移動通信端末機２００との間を連結する通信手段であって、汎用直列バス（ＵＳＢ：Universal Serial Bus）、直列通信、超広帯域（ＵＷＢ：Ultra Wide Band）通信、ＩＥＥＥ（Institute of Electrical and Electronics Engineers）１３９４、モバイルディスプレイディジタルインターフェース（ＭＤＤＩ：Mobile Display Digital Interface）などの方式により通信を遂行することができ、有線または無線の通信を包括する概念である。
【００３４】
本発明の第１実施形態に従う移動通信端末機２００は、端末機近距離通信部２１０、端末機制御部２２０、端末機入力部２３０、端末機格納部２４０、端末機復号部２５０、及び端末機出力部２６０を含んで構成される。
【００３５】
端末機近距離通信部２１０は、ディジタル放送受信装置１３０の受信機近距離通信部１９２とデータ通信を遂行することによって、移動通信端末機２００とディジタル放送受信装置１３０との間を連結して、受信機近距離通信部１９２からディジタルデータを受信して伝達する通信手段であって、前述した受信機近距離通信部１９２のような有線または無線の通信を包括する概念である。
【００３６】
端末機制御部２２０は、移動通信端末機２００の全般的な動作を制御し、移動通信端末機２００のデータ及び信号を制御する制御手段である。
【００３７】
端末機入力部２３０は、ユーザから移動通信端末機２００を制御するための命令語またはデータの入力を受けるための入力手段であって、キーパッドだけでなく、タッチスクリーン、ＵＳＢやシリアル通信により、外部の装置から命令語またはデータの入力を受ける入力手段を包括する概念である。
【００３８】
端末機格納部２４０は移動通信端末機２００内のデータを格納するデータ格納手段であって、内蔵または外装フラッシュメモリ、ハードディスクなどで具現されることができ、その他の如何なる形態でもデータを格納することができる全てのデータ格納手段をいう。
【００３９】
端末機復号部２５０は、端末機制御部２２０からディジタルデータの伝達を受ければ、ディジタルデータを復元して画像信号及びオーディオ信号を生成する再生手段である。
【００４０】
端末機出力部２６０は移動通信端末機２００の画像及びオーディオ出力手段であって、具備する液晶画面とスピーカを介して画像及びオーディオを出力するか、伝達された画像信号及びオーディオ信号を外部に連結された画像／オーディオ出力装置に伝達して、画像／オーディオ出力装置をして画像及びオーディオを出力するように制御する。
【００４１】
ユーザがディジタル放送受信装置１３０と移動通信端末機２００とを連結すれば、ディジタル放送受信装置１３０と移動通信端末機２００とは相互間に接続するか否かを確認して、接続された場合、待機モードに進入して相互間に通信を遂行する準備をする。
【００４２】
この際、ディジタル放送受信装置１３０の受信機入力部１６０がユーザからリアルタイムディジタル放送の視聴の選択を受ければ、有線／無線通信部１４０はコンテンツ提供部１１０からディジタルデータを受信して受信機制御部１５０に伝達し、受信機制御部１５０はディジタルデータを受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。
【００４３】
端末機近距離通信部２１０は、受信機近距離通信部１９２から受信したディジタルデータを端末機制御部２２０に伝達し、端末機制御部２２０はディジタルデータを端末機復号部２５０に伝達し、端末機復号部２５０は伝達されたディジタルデータを復元して画像信号及びオーディオ信号を生成して端末機出力部２６０に伝達する。
【００４４】
端末機出力部２６０は、備えた液晶画面及びスピーカを用いて画像及びオーディオを出力するか、外部に連結された画像／オーディオ装置に画像信号及びオーディオ信号を伝達して、画像／オーディオ装置をして画像及びオーディオを出力するように制御する。
【００４５】
一方、ディジタル放送受信装置１３０の受信機入力部１６０がユーザからビデオ・オン・デマンドの視聴の選択を受ければ、有線／無線通信部１４０はコンテンツ提供部１１０からディジタルデータを受信して受信機制御部１５０に伝達し、受信機制御部１５０はディジタルデータを受信機格納部１７０に格納した後、受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。以後の手続きはリアルタイムディジタル放送視聴のための手続きと同一であるので詳細な説明は省略する。
【００４６】
図３は、本発明の第２実施形態に従う移動通信端末機を用いるディジタル放送受信システムを簡略に示すブロック構成図である。
【００４７】
本発明の第２実施形態に従う移動通信端末機を用いるディジタル放送受信システムは、図２を通じて前述した本発明の第１実施形態に従う移動通信端末機を用いるディジタル放送受信システムの全ての構成要素を含む。但し、本発明の第２実施形態に従う移動通信端末機を用いるディジタル放送受信システムは、ディジタル放送受信装置１３０で受信機入力部１６０を含まず、移動通信端末機２００の端末機入力部２３０を用いてユーザからデータまたは命令語の入力を受ける。
【００４８】
即ち、本発明の第２実施形態に従う移動通信端末機を用いるディジタル放送受信システムは、ディジタル放送受信装置１３０から受信機入力部１６０を除去し、移動通信端末機２００の端末機入力部２３０を用いてユーザからリアルタイムディジタル放送の視聴またはビデオ・オン・デマンドの視聴のためのデータまたは命令語の入力を受けることによって、ディジタル放送受信装置１３０の具現を簡素化し、具現費用を低減できる方案である。
【００４９】
本発明の第２実施形態に従う移動通信端末機を用いるディジタル放送受信システムの各構成要素については、図２を通じて前述したので、それに対する詳細な説明は省略し、以下では各構成要素を用いてディジタル放送を受信する過程について説明する。
【００５０】
ユーザがディジタル放送受信装置１３０と移動通信端末機２００とを連結すれば、ディジタル放送受信装置１３０と移動通信端末機２００とは相互間に接続するか否かを確認して、接続された場合、待機モードに進入して相互間に通信を遂行する準備をする。
【００５１】
この際、移動通信端末機２００の端末機入力部２３０がユーザからリアルタイムディジタル放送の視聴の選択を受ければ、端末機制御部２２０は端末機近距離通信部２１０を用いてディジタル放送の視聴のための命令を受信機近距離通信部１９２に伝達し、受信機近距離通信部１９２は伝達された命令を受信機制御部１５０に伝達し、受信機制御部１５０は伝達された命令に従い有線／無線通信部１４０をして放送を受信するように制御する。
【００５２】
有線／無線通信部１４０はコンテンツ提供部１１０からディジタルデータを受信して受信機制御部１５０に伝達し、受信機制御部１５０はディジタルデータを受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。
【００５３】
端末機近距離通信部２１０は受信機近距離通信部１９２から受信したディジタルデータを端末機制御部２２０に伝達し、端末機制御部２２０はディジタルデータを端末機復号部２５０に伝達し、端末機復号部２５０は伝達されたディジタルデータを復号化して画像信号及びオーディオ信号を生成して端末機出力部２６０に伝達する。
【００５４】
端末機出力部２６０は、備えた液晶画面及びスピーカを用いて画像及びオーディオを出力するか、外部に連結された画像／オーディオ装置に画像信号及びオーディオ信号を伝達して、画像／オーディオ装置をして画像及びオーディオを出力するように制御する。
【００５５】
一方、移動通信端末機２００の端末機入力部２３０がユーザからビデオ・オン・デマンドの視聴の選択を受ければ、端末機制御部２２０は端末機近距離通信部２１０を用いてディジタル放送の視聴のための命令を受信機近距離通信部１９２に伝達し、受信機近距離通信部１９２は伝達された命令を受信機制御部１５０に伝達し、受信機制御部１５０は伝達された命令に従い有線／無線通信部１４０をして放送を受信するように制御する。
【００５６】
有線／無線通信部１４０はコンテンツ提供部１１０からディジタルデータを受信して受信機制御部１５０に伝達し、受信機制御部１５０はディジタルデータを受信機格納部１７０に格納した後、受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。
【００５７】
以後の処理は、リアルタイムディジタル放送視聴のための処理と同一であるので、さらなる説明は省略する。以後の処理は、リアルタイムディジタル放送視聴の処理と同一であるので、詳細な説明は省略する。
【００５８】
図４は、本発明の第３実施形態に従う移動通信端末機を用いるディジタル放送受信システムを簡略に示すブロック構成図である。
【００５９】
本発明の第３実施形態に従う移動通信端末機を用いるディジタル放送受信システムは、図２を通じて前述した本発明の第１実施形態に従う移動通信端末機を用いるディジタル放送受信システムの全ての構成要素を含む。但し、本発明の第３実施形態に従う移動通信端末機を用いるディジタル放送受信システムは、ディジタル放送受信装置１３０で受信機入力部１６０及び受信機格納部１７０を含まず、移動通信端末機２００の端末機入力部２３０を用いてユーザからデータまたは命令語の入力を受けて、端末機格納部２４０を用いてコンテンツ提供部１１０から受信したディジタルデータを格納する。
【００６０】
即ち、本発明の第３実施形態に従う移動通信端末機を用いるディジタル放送受信システムは、ディジタル放送受信装置１３０から受信機入力部１６０及び受信機格納部１７０を除去し、移動通信端末機２００の端末機入力部２３０を用いてユーザからリアルタイムディジタル放送の視聴またはビデオ・オン・デマンドの視聴のためのデータまたは命令語の入力を受けて、端末機格納部２４０を用いてディジタル放送受信装置１３０がコンテンツ提供部１１０から受信したディジタルデータを格納することによって、ディジタル放送受信装置１３０の具現を簡素化し、具現費用を低減することができる構成である。
【００６１】
本発明の第３実施形態に従う移動通信端末機を用いるディジタル放送受信システムの各構成要素については図２を参照して前述したので、それに対する詳細な説明は省略し、以下では各構成要素を用いてディジタル放送を受信する過程について説明する。
【００６２】
ユーザがディジタル放送受信装置１３０と移動通信端末機２００とを連結すれば、ディジタル放送受信装置１３０と移動通信端末機２００とは相互間に接続するか否かを確認して、接続された場合、待機モードに進入して相互間に通信を遂行する準備をする。
【００６３】
この際、移動通信端末機２００の端末機入力部２３０がユーザからリアルタイムディジタル放送の視聴の選択を受ければ、端末機制御部２２０は端末機近距離通信部２１０を用いてディジタル放送の視聴のための命令を受信機近距離通信部１９２に伝達し、受信機近距離通信部１９２は伝達された命令を受信機制御部１５０に伝達し、受信機制御部１５０は伝達された命令に従い有線／無線通信部１４０をして放送を受信するように制御する。
【００６４】
有線／無線通信部１４０はコンテンツ提供部１１０からディジタルデータを受信して受信機制御部１５０に伝達し、受信機制御部１５０はディジタルデータを受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。
【００６５】
端末機近距離通信部２１０は受信機近距離通信部１９２から受信したディジタルデータを端末機制御部２２０に伝達し、端末機制御部２２０はディジタルデータを端末機復号部２５０に伝達し、端末機復号部２５０は伝達されたディジタルデータを復号化して画像信号及びオーディオ信号を生成して端末機出力部２６０に伝達する。
【００６６】
端末機出力部２６０は、備えた液晶画面及びスピーカを用いて画像及びオーディオを出力するか、外部に連結された画像／オーディオ装置に画像信号及びオーディオ信号を伝達して、画像／オーディオ装置をして画像及びオーディオを出力するように制御する。
【００６７】
一方、移動通信端末機２００の端末機入力部２３０がユーザからビデオ・オン・デマンドの視聴の選択を受ければ、端末機制御部２２０は端末機近距離通信部２１０を用いてディジタル放送の視聴のための命令を受信機近距離通信部１９２に伝達し、受信機近距離通信部１９２は伝達された命令を受信機制御部１５０に伝達し、受信機制御部１５０は伝達された命令に従い有線／無線通信部１４０をして放送を受信するように制御する。
【００６８】
有線／無線通信部１４０はコンテンツ提供部１１０からディジタルデータを受信して受信機制御部１５０に伝達し、受信機制御部１５０はディジタルデータを受信機近距離通信部１９２に伝達し、受信機近距離通信部１９２は待機モードでディジタルデータを受信すれば、端末機近距離通信部２１０と通信を遂行してディジタルデータを端末機近距離通信部２１０に伝達する。
【００６９】
端末機近距離通信部２１０は受信機近距離通信部１９２から受信したディジタルデータを端末機制御部２２０に伝達し、端末機制御部２２０は伝達されたディジタルデータを端末機格納部２４０に格納した後、端末機復号部２５０に伝達し、端末機復号部２５０はディジタルデータを復号化して画像信号及びオーディオ信号を生成して端末機出力部２６０に伝達する。
【００７０】
端末機出力部２６０は、備えた液晶画面及びスピーカを用いて画像及びオーディオを出力するか、外部に連結された画像／オーディオ装置に画像信号及びオーディオ信号を伝達して、画像／オーディオ装置をして画像及びオーディオを出力するように制御する。
【００７１】
図５は、本発明の第４実施形態に従う移動通信端末機を用いるディジタル放送受信システムを簡略に示すブロック構成図である。
【００７２】
本発明の第４実施形態に従う移動通信端末機を用いるディジタル放送受信システムは、コンテンツ提供部１１０、有線／無線通信網１２０、移動通信端末機２００、ディジタル放送受信装置５１０、遠隔制御装置５２０、及び画像／オーディオ出力装置５３０を含んで構成される。
【００７３】
ここで、移動通信端末機２００は、端末機近距離通信部２１０、端末機制御部２２０、端末機入力部２３０、端末機格納部２４０、端末機復号部２５０、及び端末機出力部２６０を含んで構成される。移動通信端末機２００の各構成については図２を通じて前述したことと同一または類似しているので、これに対する詳細な説明は省略し、後述する過程で図６を通じた説明に代える。
【００７４】
ディジタル放送受信装置５１０は、通信部５１２、入出力端子５１４、遠隔制御端子５１６、及び画像／オーディオ出力端子５１８を含み、形態は携帯電話据置台のように具現されて、移動通信端末機２００を据置し、遠隔制御装置５２０から信号を移動通信端末機２００に中継するだけでなく、移動通信端末機２００の制御に従い有線／無線通信網１２０を通じて通信を遂行する装置である。
【００７５】
通信部５１２は、ＬＡＮカードのようなネットワークインターフェースカード（ＮＩＣ：Network Interface Card）などや、有線／無線通信モデムを備えて有線／無線通信網１２０と連結されて通信を遂行する有線／無線通信手段である。このような通信部５１２は、通信のためのモデムなどのチップだけでなく、インターネットケーブル、ＬＡＮケーブル（LAN Cable）、またはＬＡＮ−ＵＳＢ（LAN to USB）と連結するための端子を含む。
【００７６】
入出力端子５１４は、移動通信端末機２００と連結するための端子であって、２４ピン（Pin）インターフェースや、最近、韓国情報通信技術協会（ＴＴＡ：Telecommunication Technology Association）で移動通信端末機の外部端子を２０ピンで構成することを推進しているように、２０ピン構造で具現されることができ、２４ピンまたは２０ピン構造のうち、複数個の特定のピンを介して移動通信端末機２００とデータを送信する。このために、入出力端子５１４は、通信部５１２、遠隔制御端子５１６、及び画像オーディオ出力端子５１８と連結される。
【００７７】
また、入出力端子５１４は、移動通信端末機２００がディジタル放送受信装置５１０と結合して据置されれば、移動通信端末機２００の端末機近距離通信部２１０と接続されて連結できるように具現される。このように、入出力端子５１４は端末機近距離通信部２１０と連結されて移動通信端末機２００の端末機近距離通信部２１０から受信する信号を通信部５１０に伝達するか、遠隔制御装置５２０から受信する信号を端末機近距離通信部２１０を通じて移動通信端末機２００に伝達する。
【００７８】
遠隔制御端子５１６は、ＩｒＤＡ（Infrared Data Association）受光センサーのような赤外線受光部で具現されて、遠隔制御装置５２０から遠隔制御信号を受信すれば、入出力端子５１４を通じて移動通信端末機２００に伝達されるようにする。
【００７９】
画像／オーディオ出力端子５１８は、入出力端子５１４と内部的に連結され、画像／オーディオ出力装置５３０とは外部でケーブル等により連結され、入出力端子５１４を通じて移動通信端末機２００から受信する画像信号及びオーディオ信号を画像／オーディオ出力装置５３０に伝達する。このために、画像／オーディオ出力端子５１６は、右側オーディオ端子、左側オーディオ端子、及びコンポジットビデオ端子で具現できるが、スーパービデオ（Super-Video）端子または高鮮明マルチメディアインターフェース（ＨＤＭＩ：High Definition Multimedia Interface）端子のような１つの画像／オーディオ端子で具現されることもできる。
【００８０】
遠隔制御装置５２０は、リモートコントロール（Remote Control System）のように遠隔から他の装置を制御する制御装置であって、赤外線信号をディジタル放送受信装置５１０の遠隔制御端子５１６の赤外線受光部に送出してディジタル放送受信装置５１０と連結された移動通信端末機２００を制御する。
【００８１】
画像／オーディオ出力装置５３０は、ＴＶのように大画面の画像とオーディオを出力できる出力装置であって、空中波放送を受信して画像とオーディオを出力することもでき、外部から画像信号及びオーディオ信号を受信して表示装置及びオーディオ出力装置に出力することもできる。画像／オーディオ出力装置５３０は、画像信号を受信するためのビデオ端子とオーディオ信号を受信するためのオーディオ端子を備え、各端子がディジタル放送受信装置５１０の画像／オーディオ出力端子５１６と連結される。
【００８２】
図６は、本発明の第４実施形態に従う移動通信端末機を用いるディジタル放送受信方法を説明するためのフローチャートである。
【００８３】
ユーザが移動通信端末機２００をディジタル放送受信装置５１０の据置台に挿入すれば、移動通信端末機２００とディジタル放送受信装置５１０とは互いに結合して移動通信端末機２００の端末機近距離通信部２１０とディジタル放送受信装置５１０の入出力端子５１４とが連結される。この際、移動通信端末機２００の端末機制御部２２０は、端末機近距離通信部２１０と入出力端子５１４とが互いに連結されることを感知することによって、移動通信端末機２００がディジタル放送受信装置５１０と連結されたことを検出する（Ｓ６１０）。
【００８４】
端末機制御部２２０は、端末機近距離通信部２１０と入出力端子５１４とが互いに連結されることを感知すれば、ネットワーク通信モードを活性化して端末機近距離通信部２１０と入出力端子５１４を通じて通信部５１２を制御して通信できる状態に切換される。
【００８５】
この際、ユーザがリモートコントロールなどの遠隔制御装置５２０を用いてリアルタイムインターネット放送サービス、ビデオ・オン・デマンドサービス、またはダウンロードサービスなどのための遠隔制御信号を発生させれば、遠隔制御装置５２０から送出された遠隔制御信号がディジタル放送受信装置５１０の遠隔制御端子５１６の赤外線受光部で受信され、また入出力端子５１４と端末機近距離通信部２１０を通じて端末機制御部２２０に伝達されることによって、移動通信端末機２００がディジタル放送受信装置５１０を通じて遠隔制御装置５２０から遠隔制御信号を受信する（Ｓ６２０）。
【００８６】
遠隔制御信号を受信した端末機制御部２２０は、遠隔制御信号を分析してリアルタイム放送サービス、ビデオ・オン・デマンドサービス、またはダウンロードサービスなどのための信号であることを確認して、端末機近距離通信部２１０と入出力端子５１４を通じてディジタル放送受信装置５１０の通信部５１２を制御して有線／無線通信網１２０と連結されたコンテンツ提供部１１０に接続し、コンテンツ提供部１１０からリアルタイム放送サービス、ビデオ・オン・デマンドサービス、またはダウンロードサービスなどのためのディジタルデータを受信する（Ｓ６３０）。ここで、移動通信端末機２００は、コンテンツ提供部１１０に接続すれば、コンテンツ提供部１１０で提供するユーザインターフェースを端末機出力部２６０を通じて出力し、端末機入力部２３０を通じて入力される命令語またはデータに従いコンテンツ提供部１１０で提供する各種サービスメニュー、または各種ディジタルデータをナビゲーションし選択して、ユーザが希望するディジタルデータを受信し、必要の場合、端末機格納部２４０に格納することができる。
【００８７】
ディジタルデータを受信した端末機制御部２２０は、端末機復号部２５０を用いてディジタルデータを復号化して画像信号及びオーディオ信号を生成し（Ｓ６４０）、画像信号及びオーディオ信号を端末機出力部２６０を用いて備えた画面に出力するか、画像信号及びオーディオ信号を端末機近距離通信部２１０とディジタル放送受信装置５１０の入出力端子５１４及び画像／オーディオ出力端子５１８を通じてＴＶなどの画像／オーディオ出力装置５３０に伝達することによって、画像／オーディオ出力装置５３０が画像信号及びオーディオ信号を出力するようにする（Ｓ６５０）。
【００８８】
以上、説明したように、本発明では現代人であれば誰でも所持して携帯する移動通信端末機をディジタル放送受信装置に連結して移動通信端末機をしてディジタル放送受信装置で遂行する所定の機能（ディジタルデータを復元して再生する機能、ユーザからデータまたは命令語の入力を受ける機能、ディジタルデータを格納する機能）を代替するようにすることで、ディジタル放送受信装置の具現を簡素化し、具現費用を低減できるので、ディジタル放送受信装置を低廉な価格で供給することができ、それによって、ディジタル放送補給に役に立つことができる。
【００８９】
また、ネットワーク通信機能と移動通信端末機が据置できる据置台機能を備えたディジタル放送受信装置を通じて受信したディジタルデータを移動通信端末機で復号してディジタル放送受信装置を通じて連結されたＴＶなどの画像／オーディオ出力装置で出力して視聴することもできる。
【００９０】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【産業上の利用可能性】
【００９１】
以上説明したように、本発明は、低廉なディジタル放送受信装置を開発できるようにするためのディジタル放送受信分野に適用されて、移動通信端末機を用いてディジタル放送受信装置の所定の機能を代替することができるので、ディジタル放送受信装置の具現を簡素化できるだけでなく、具現費用を低減することができ、それによって、ディジタル放送受信装置とディジタル放送の広範囲に及ぶ利用に役に立つことができる効果を発生する非常に有用な発明である。
【符号の説明】
【００９２】
１１０  コンテンツ提供部
１２０  有線／無線通信網
１３０  ディジタル放送受信装置
１４０  有線／無線通信部
１５０  受信機制御部
１６０  受信機入力部
１７０  受信機格納部
１８０  受信機近距離通信部
２００  移動通信端末機
２１０  端末機近距離通信部
２２０  端末機制御部
２３０  端末機入力部
２４０  端末機格納部
２５０  端末機復号部
２６０  端末機出力部
５１０  外部連結装置
５１２  通信部
５１４  入出力端子
５１６  遠隔制御端子
５１８  画像／オーディオ出力端子
５２０  遠隔制御装置
５３０  画像／オーディオ出力装置
【図１】
2010527177.tif 000003
【図２】
2010527177.tif 000004
【図３】
2010527177.tif 000005
【図４】
2010527177.tif 000006
【図５】
2010527177.tif 000007
【図６】
2010527177.tif 000008
【国際調査報告】
2010527177.tif 000009
2010527177.tif 000010